(57)【要約】【課題】従来、メンテナンス時に冷却ファンユニットを電気電子機器収納用箱から引き出す際に生じていた側面ダクトとマウントレールの干渉の問題を解決して、メンテナンスの際の冷却ファンユニットの引出しを容易にすること。【解決手段】機器搭載ユニットを取り付ける電気電子機器収納用箱において、少なくとも側面に排気孔をもつ冷却ファンユニットをフレーム部材に取り付け、冷却ファンユニットの高さ対応位置のフレーム部材に冷却ファンユニットからの排気を上向きに導くダクトを設けることによって上記干渉の問題を解決し、メンテナンスの作業効率の上昇を実現した。【選択図】図１
2009147109.tif 000002
【特許請求の範囲】
【請求項１】
機器ユニットを取り付けた電気電子機器収納用箱の下部に、少なくとも側面に排出孔をもつ冷却ファンユニットを取り付け、その側面排出孔に対応する高さの位置のフレーム部材に、その側面排出孔からの排気を上向きに導くダクトを設けたことを特徴とする電気電子機器収納用箱。
【請求項２】
前後のフレーム部材の間ピッチ変更に対応してダクトの長さを変更可能にした請求項１に記載の電気電子機器収納用箱。
【発明の詳細な説明】
【技術分野】
【０００１】
本発明は、機器ユニットを取り付けた電気電子機器収納用箱において使用される冷却ファンユニットからの排気を導くダクト構造に特徴を有する電気電子機器収納用箱に関するものである。
【背景技術】
【０００２】
電気電子機器収納用箱として用いられるシステムラックは四隅にフレームを備え、多くは内部に4本のマウントレールを備えた構造を有している。サーバーなどの機器ユニットは前面からフレームやマウントレールのフレーム部材間に差し込まれて多段に収納されるが、マウントレールの下部に冷却ファンユニットを取り付けて箱内を冷却することが行われている（特許文献１）。
【０００３】
冷却ファンユニットはシステムラックの内部機器の発熱に対応するために、二重床の床下からの風をラックの底面から吸い込んで、ラック内に風を送風するために電気電子機器収納用箱内部に設置されるものである。
【０００４】
冷却ファンユニットは、最下段に取り付けられることが多いがサーバーなどの発熱量の大きい機器ユニットの排熱を効率的に拡散させるために最下段以外にも取り付けられることがある。
【０００５】
このような冷却ファンユニットは床下から吸い込んだ風を上方へ送風するために、底面に吸引孔、前面や側面に排出孔が設けられ、この排出孔にはデフレクタやダクト等の風を上方に導く風向きガイドが設けられている（特許文献１）。
【０００６】
冷却ファンユニットは、システムラック内のその他の機器ユニットと同様の取り付け構造を持ち、左右のマウントレールに取り付けられる。一般に、この冷却ファンユニットには側面の排出孔にデフレクタやダクト等の風向きガイドが設けられているため、システムラックに取り付けられた冷却ファンユニットに設けられた側面ダクトはシステムラック内の前後のマウントレール間に挟まれた構造となる。
【０００７】
冷却ファンユニットは、ファンやその他のメンテナンスのために取り外すことがあるが、上記構造の側面ダクトとマウントレールが干渉するため、冷却ファンユニットの上に機器ユニットを装着した後に冷却ファンユニットをとり外す為には、まず他の機器ユニットを取り外した上で、システムラックの上部から取り外さなくてはならないという問題があった。
【０００８】
また、スライドレールに冷却ファンユニットを取り付け、上の機器ユニットを取り外さなくても冷却ファンユニットを引き出せるようにしたものでも、側面の排出口に設けられたデフレクタやダクト等の風向きガイドが前後のマウントレール間に存在して干渉するため、冷却ファンユニット本体からデフレクタやダクト等の風向ガイドを取り外した後に冷却ファンユニットを引き出す必要があり、デフレクタやダクト等の風向きガイドを取り外すのは手間がかかる作業であった。
【特許文献１】特開２００４−１６５５２８公報
【発明の開示】
【発明が解決しようとする課題】
【０００９】
本発明の目的は上記した従来の問題点を解決し、事前にダクトを取り外すことなく冷却ファンユニットを引き出すことのできるダクト構造を有する電気電子機器収納用箱を提供することである。
【課題を解決するための手段】
【００１０】
機器ユニットを取り付ける電気電子機器収納用箱において、少なくとも側面に排気孔をもつ冷却ファンユニットをフレーム部材に取り付け、その側面排出孔に対応する位置のフレーム部材にダクトを取り付けることを特徴とするものである。
【００１１】
なお、前後のフレーム部材の間ピッチ変更に対応してダクトの長さを変更可能な構造とすることもできる。
【発明の効果】
【００１２】
従来、冷却ファンユニットにダクトを設けた際の冷却ファンユニット引出しメンテナンス時には、側面ダクトとマウントレールなどのフレーム部材が干渉してひっかかるため、そのままでは冷却ファンユニットが引き出せないという問題があったが、本発明では冷却ファンユニットの側面排気孔と同じ高さにあるフレーム部材に直接ダクトを設けたことによって、前記の干渉によるひっかかりが解消した。これにより、冷却ファンユニットのメンテナンス時に冷却ファンユニットを引出すことが容易になり、作業性が飛躍的に向上した。
【００１３】
請求項２の発明では、ダクトの長さをスライド変更可能な構造とした。この構造により、キャビネットに搭載する機器に応じてフレーム部材の前後ピッチが変更する場合でも、ダクトの長さの調節で対応可能となった。このため、各種システムラックの大きさに関係なく、一つのダクトで対応ができるため、部品の共通化が図られ、利便性が向上した。
【発明を実施するための最良の形態】
【００１４】
以下に発明の好ましい実施形態を示す。
図１は本発明の一実施形態にかかるシステムラックの外部を覆うカバーを取り除いた状態を示す斜視図で、冷却ファンユニットの上に機器ユニットを装着した後に、冷却ファンユニットのメンテナンスを行う場面で、事前に側面ダクトを取り外すことなく冷却ファンユニットを引き出して、冷却ファンユニットのフィルターやファン交換のために冷却ファンユニットの上面を開放した状態図である。
図２は機器ユニットの下段に取り付けられた冷却ファンユニットから冷却風が送風される状態図である。図３はマウントレールに冷却ファンユニットと側面ダクトを取付けた状態図であり、図4は図３の状態から冷却ファンユニットをスライドさせて引出した状態図である。
【００１５】
図１，２，３，４において、フレーム２によって筺体を構成するシステムラック１は、四隅に四本の縦フレーム２ａを有し、その内部に4本のマウントレール３a、３b、３c、３dを有している。一般に、電気電子機器収納用箱に機器ユニットやオプション等を取り付けつけるために用いるマウントレール３a、３b、３c、３dは、電気電子機器収納用箱の奥行フレーム２ｂに取り付けられるものであり、箱体の奥行き方向の任意の位置で取り付けることが可能である。多くの場合は、フレーム部材である縦フレーム２ａとマウントレール３a、３b、３c、３dのうち、マウントレール３a、３b、３c、３dに機器ユニット１６を取付けるが、マウントレール３a、３b、３c、３dを用いないものでは縦フレーム２ａに機器ユニット１６を取付ける。なお、マウントレール３a、３b、３c、３dにはオプション等を取り付けつけるための角穴４や丸穴５とが、長手方向に一定間隔で配置され、縦フレーム２ａに機器ユニット１６を取付けるものでは、縦フレーム２ａに機器ユニット取付けや、オプション取付けのための孔列を設ける。
【００１６】
図１，２，３，４に示すようにマウントレール３a、３b、３c、３dを備えたシステムラック１の下段には冷却ファンユニット６が差し込まれる。本実施形態においては、冷却ファンユニット６のメンテナンス時の引き出しを容易とするために冷却ファンユニット６とシステムラック１の対応部分にスライドレール７を設けているが、冷却ファンユニット６はマウントレール３a、３b、３c、３dに固定する構造としてもよい。
【００１７】
図１，３，４に示すように本実施形態で用いた冷却ファンユニット６は前面排出孔８及び側面排出孔９を有するものであるが、後面に排気孔を有するものでもよく、冷却ファンユニット６は少なくとも側面に排出孔９を有するものであればよい。なお、冷却ファンユニット６は送風用ファンのほか、ペルチェやクーラー等の冷却装置を内蔵するものであってもよい。
【００１８】
側面排出孔９から排出された冷却風をシステムラック１の上方へ導くための側面ダクト１０は、フレーム部材であるマウントレール３a、３cに取り付けられた冷却ファンユニット６の側面排出孔９に対応する高さの位置の前後各マウントレール３a、３b間に設けられる。
【００１９】
図５に示すように、側面ダクト１０は排出された冷却風を効率よく上方へ導くことに適した構造を有している。具体的には、側面排出孔９を覆う大きさを有するカバー状のもので、側面排出孔９に面した一側面と上面が解放された構造を有している。
【００２０】
また、図５に示すように、側面ダクト１０は、分割仕様の２部品１１，１２構成からなるスライド可能な構造とすることができる。具体的には、重なり部分の外側にスライド可能とするスリット１３を設け、重なり部分の内側にスライド用留め具１４を設けて、２部品の重なり部分をスライド可能な状態に接合する。この構造により、キャビネットに搭載する機器に応じてマウントレール３a、３b、３c、３dの前後ピッチが変更する場合に対応して、ダクトの長さの調節が可能となる。
【００２１】
側面ダクト１０をフレーム部材であるマウントレール３a、３b間に取り付けることにより、冷却ファンユニット６と側面ダクト１０を連動して動かす必要がなくなり、マウントレール３a、３b間に存在する側面ダクト１０の存在に関わらず、冷却ファンユニット６のみを全面に引き出すことができる構造となる。
なお、前面排出孔８から排出された冷却風をシステムラック１の上方へ導くための前面ダクト１５は引き出し時にマウントレールと干渉するおそれがないので、冷却ファンユニット６に直接設けられている。
【００２２】
機器ユニット１６は図１、２に示すように、マウントレール３a、３b、３c、３dが取り付けられ、下段に冷却ファンユニット６が差し込まれたシステムラック１の上段に前面から差し込まれて、マウントレールに取り付けられる。なお、冷却ファンユニット６は、システムラック１の最下段に取り付けられることが多いがサーバーなどの発熱量の大きい機器ユニット１６の排熱を効率的に拡散させるために最下段以外にも取り付けることも可能である。
【００２３】
なお、この実施形態ではマウントレール３a、３b、３c、３dに機器ユニット１６を取付けたもので説明したが、フレーム部材である縦フレーム２ａに機器ユニット１６を取付けたものでもよく、その場合は、ダクト１０は縦フレーム２ａや奥行フレーム２ｂに取付けることとなる。
【図面の簡単な説明】
【００２４】
【図１】冷却ファンユニットを引き出して、冷却ファンユニットのフィルターやファン交換のために冷却ファンユニットの上面を開放した状態図である。
【図２】機器搭載ユニットの下段に取り付けられた冷却ファンユニットから冷却風が送風される状態図である。
【図３】マウントレールに冷却ファンユニットと側面ダクトを取付けた状態図である。
【図４】図３の状態から冷却ファンユニットをスライドさせて引出した状態図である。
【図５】側面ダクトの全体図である。
【符号の説明】
【００２５】
１  システムラック
２  フレーム
３  マウントレール
４  マウントレールの角柱
５  マウントレールの丸穴
６  冷却ファンユニット
７  スライドレール
８  前面排出孔
９  側面排出孔
１０  側面ダクト
１１  ダクト構成部品
１２  ダクト構成部品
１３  スリット
１４  留め具
１５  前面ダクト
１６  機器ユニット
【図１】
2009147109.tif 000003
【図２】
2009147109.tif 000004
【図３】
2009147109.tif 000005
【図４】
2009147109.tif 000006
【図５】
2009147109.tif 000007